(57)【特許請求の範囲】
【請求項１】
所定の監視条件で所定の物理量の監視を行なう第１の監視手段と、
該第１の監視手段で得られた所定の物理量に基づき異常の性状を判定する性状判定手段と、
該性状判定手段で得られた異常の性状に応じた監視条件で異常の監視を行なう第２の監視手段と、
前記性状判定手段で得られた異常の性状を記憶する性状記憶手段と、
該性状記憶手段に記憶されている異常の性状を読出す読出手段と、
該読出手段で読出された異常の性状に応じた監視条件で異常の監視を行なう第３の監視手段と、
異常信号を出力する出力手段とを備え、
前記出力手段は、前記第２の監視手段または前記第３の監視手段から監視結果が送られたときに異常信号を出力し、
前記読出手段は、前記出力手段から異常信号が出力されて受信機から所定の信号を受信したときに前記性状記憶手段に記憶されている異常の性状を読出すことを特徴とするオン・オフ型感知器。
【請求項２】
請求項１記載のオン・オフ型感知器において、前記第３の監視手段における監視処理に要する時間は、第２の監視手段における監視処理に要する時間よりも短かいことを特徴とするオン・オフ型感知器。
【請求項３】
請求項１または請求項２記載のオン・オフ型感知器において、前記性状記憶手段には、不揮発性メモリが用いられることを特徴とするオン・オフ型感知器。
【請求項４】
請求項１乃至請求項３のいずれか一項に記載のオン・オフ型感知器において、前記性状記憶手段に記憶されている性状の情報は、前記出力手段から異常信号が出力していない場合において受信機からの所定の信号が入力するときに、消去されるようになっていることを特徴とするオン・オフ型感知器。
【請求項５】
請求項４記載のオン・オフ型感知器において、前記性状記憶手段に記憶されている性状の情報は、読出手段によって読出された後に、消去可能となっていることを特徴とするオン・オフ型感知器。
【請求項６】
請求項１乃至請求項５のいずれか一項に記載のオン・オフ型感知器において、該オン・オフ型感知器は、第１の監視手段からの所定の物理量のレベルが所定レベルを越えたか否かを判断するレベル判断手段と、性状判定手段，第２の監視手段または第３の監視手段に処理を行なわせるのか、または、レベル判断手段に処理を行なわせるのかを切替える切替手段とをさらに有していることを特徴とするオン・オフ型感知器。
【請求項７】
請求項６記載のオン・オフ型感知器において、前記切替手段は、前記性状記憶手段に性状の情報が記憶されていないときには、レベル判断手段に処理を行なわせるように切替えることを特徴とするオン・オフ型感知器。
【発明の詳細な説明】
【０００１】
【発明の属する技術分野】
本発明は、オン・オフ型感知器および監視制御システムに関する。
【０００２】
【従来の技術】
従来、Ｐ型蓄積式受信機からのＬ，Ｃ線路にオン・オフ型感知器を接続したＰ型システムが知られている。
【０００３】
ここで、オン・オフ型感知器は、一般に、検知した所定の物理量（例えば煙濃度）が所定レベル以下のときには、回線（Ｌ，Ｃ線路）間のインピーダンスを高インピーダンスの状態（オフの状態）に維持する一方、検知した所定の物理量（例えば煙濃度）が所定レベル以上のときには、回線（Ｌ，Ｃ線路）間のインピーダンスを低インピーダンスの状態（オンの状態）にすることによって、Ｐ型蓄積式受信機に感知器の検知結果を通知するようになっている。
【０００４】
また、Ｐ型蓄積式受信機は、誤報を軽減するために、蓄積機能を有しているＰ型受信機である。図１はＰ型蓄積式受信機の動作（特に蓄積機能）を説明するための図である。図１を参照すると、オン・オフ型感知器から１番目の感知器信号（オン状態である旨の信号）Ｒ1がＰ型蓄積式受信機に通知されると(図１(ａ))、Ｐ型蓄積式受信機は、この１番目の感知器信号Ｒ1によってすぐに警報等を出力するのではなく、オン・オフ型感知器から２番目の感知器信号Ｒ2が通知されるのを待つ。すなわち、オン・オフ型感知器から１番目の感知器信号（オン状態である旨の信号）Ｒ1がＰ型蓄積式受信機に通知されると（図１（ａ））、Ｐ型蓄積式受信機は、復旧信号Ｑをオン・オフ型感知器に与え、オン・オフ型感知器をリセットする（図１（ｂ））。これにより、オン・オフ型感知器では、感知動作を開始する。そして、Ｐ型蓄積式受信機では、復旧信号Ｑを出力した後、所定の期間Ｔ内にオン・オフ型感知器から２番目の感知器信号Ｒ2が通知されたか否かを監視し、所定の期間Ｔ内に２番目の感知器信号Ｒ2の通知があったときに、初めて、異常（例えば火災）が発生したと判断し、警報等を出力する。これに対し、所定の期間Ｔ内に２番目の感知器信号Ｒ2の通知がなかった場合には、１番目の感知器信号Ｒ1が通知されていても、異常（例えば火災）が発生したとは判断せず、警報等を出力しない。このように、Ｐ型受信機に蓄積機能をもたせることによって、誤報を軽減することができる。
【０００５】
【発明が解決しようとする課題】
ところで、近年、オン・オフ型感知器として、感知器単体で、異常（例えば火災／非火災）の判断を行なうもの（異常判断アルゴリズム（例えば火災判断アルゴリズム）を用いたもの）が開発されている。図２はこのような判断機能を備えたオン・オフ型感知器の構成例を示す図である。図２を参照すると、この感知器１は、所定の監視条件で所定の物理量の監視を行なう第１の監視部１１と、第１の監視部１１で得られた所定の物理量に基づき異常（例えば火災）の性状（例えば火災性状）を判定する性状判定部１２と、性状判定部１２で得られた性状に応じた監視条件で異常（例えば火災）の性状に応じた監視を行なう第２の監視部１３と、第２の監視部１３からの監視結果に基づく信号を出力する出力部１４とを備えている。
【０００６】
ここで、第１の監視部１１としては、例えば、この感知器１が例えば光散乱式煙感知器である場合、発光素子から２種の異なる波長λ1，λ2の光を出射させ、発光素子から出射される２種の異なる波長λ1，λ2の光の煙などによる散乱光を受光素子で受光するような構成のものにすることができる。なお、この場合、第１の監視部１１は、例えば、当初は１種の波長（例えばλ1）の光の煙などによる散乱光だけを受光素子で受光し、この光強度，すなわち所定の物理量（煙濃度）が所定レベル以上となったか否かを監視し、所定レベル以上となったときに、２種の異なる波長λ1，λ2の光の煙などによる散乱光を受光素子で受光するように、これを構成できる。
【０００７】
そして、性状判定部１２は、例えば、異なる２波長λ1，λ2の散乱光出力の比(２波長比)をとり、この２波長比が予め設定された値の範囲に入っているか否かを判定することで、異常の性状（上記例では、煙の性状）を判断するようになっている。
【０００８】
異常の性状の判定は、より具体的には、ある特定の粒子径範囲にある粒子の種類を２波長比から割り出すことによってなされ、これにより、異常の性状として、例えば、▲１▼火災煙、▲２▼タバコの煙、▲３▼湯気、▲４▼塵埃、▲５▼その他、のいずれであるかを判定することが可能となる。すなわち、例えば、２波長比から小さな粒径と判断された場合、これは、例えば、▲１▼火災煙、であると判定され、また、２波長比から大きな粒径と判断された場合、これは、例えば、▲３▼湯気、であると判定されるようになっている。
【０００９】
そして、第２の監視部１３は、より具体的には、▲１▼火災煙、▲２▼タバコの煙、▲３▼湯気、▲４▼塵埃、▲５▼その他、に応じた監視（例えば、性状▲１▼，▲２▼，▲３▼，▲４▼，▲５▼に応じた監視期間Ｔ1，Ｔ2，Ｔ3，Ｔ4，Ｔ5での監視）を行なうようになっている。
【００１０】
例えば、性状判定部１２で性状として、▲１▼火災煙が得られた場合には、第２の監視部１３は、ノイズでないことだけを確認して、すぐに（監視期間を短時間にして）、環境異常（例えば火災）の信号を監視結果として出力部１４に与えるようになっている。
【００１１】
また、例えば、性状判定部１２で性状として、▲３▼湯気が得られた場合には、第２の監視部１３は、所定の監視期間Ｔ3（例えば２０秒間）にわたって、例えば粒子濃度が所定レベルを越えている状態が持続しているか否かを判断し、所定の監視期間Ｔ3（例えば２０秒間）の間、例えば粒子濃度が所定レベルを越えている状態が持続している場合には、環境異常（例えば火災）の信号を監視結果として出力部１４に与え、また、所定の監視期間Ｔ3（例えば２０秒間）の間で、例えば粒子濃度が所定レベルを越えている状態が持続しない場合（例えば、１０秒間でレベルが低下してしまった場合）には、環境異常はないとして（例えば非火災として）出力部１４には監視結果を送らないようになっている。
【００１２】
このように、第２の監視部１３は、例えば、性状▲１▼，▲２▼，▲３▼，▲４▼，▲５▼に応じて監視期間（監視条件）Ｔ1，Ｔ2，Ｔ3，Ｔ4，Ｔ5を変え、ある性状が得られたとき、この性状に応じた監視期間にわたって粒子濃度が所定レベルを越えている状態が持続しているか否かに基づき、監視結果を出力部１４に送るか、監視結果を出力部１４には送らないようになっている。
【００１３】
なお、図２の構成において、性状判定部１２，第２の監視部１３が、異常判断アルゴリズム（例えば火災判断アルゴリズム）を用いたものとなっている。
【００１４】
そして、出力部１４は、第２の監視部１３から監視結果が送られた場合に信号（１番目の信号の場合は、Ｒ1）を受信機２に向けて出力するようになっている。具体的に、出力部１４は、第２の監視部１３から監視結果が送られた場合にのみ、回線（Ｌ，Ｃ線路）間のインピーダンスを低下させて（オン状態にして）、受信機２に通知し、監視結果が送られない場合（非火災の場合）は、回線（Ｌ，Ｃ線路）間のインピーダンスを高インピーダンスの状態（オフ状態）に保持するようになっている。
【００１５】
このように、図２のオン・オフ型感知器１は、感知器単体で、例えば火災／非火災の判断を行なうので、受信機２における負担，誤報を低減することができる。
【００１６】
ところで、図２のオン・オフ型感知器１からの出力がオン状態であることをＰ型受信機２が受信すると、Ｐ型受信機２は、この感知器１に復旧信号Ｑを与え、これにより、感知器１はリセットされる。
【００１７】
この場合、図２のオン・オフ型感知器１では、再び、第１の監視部１１，性状判定部１２，第２の監視部１３，出力部１４の処理を順次に行なうようになっている。
【００１８】
このように、図２のオン・オフ型感知器１では、この感知器自体に例えば火災／非火災の判断機能が備わっているので、Ｐ型受信機２としては、前述したような蓄積機能を備えたものでなくても良い。
【００１９】
しかしながら、Ｐ型受信機２からの回線（Ｌ，Ｃ線路）に、火災／非火災の判断機能を備えたオン・オフ型感知器とともに、火災／非火災の判断機能を備えていないオン・オフ型感知器が混在して接続される場合には、火災／非火災の判断機能を備えていないオン・オフ型感知器による誤報を低減するため、Ｐ型受信機２には、図１に示したような動作を行なうＰ型蓄積式受信機が用いられる。
【００２０】
この場合、図２のオン・オフ型感知器においても、例えば、火災であるときには、１番目の感知器信号（オン状態を示す信号）Ｒ1をＰ型蓄積式受信機２に通知し、Ｐ型蓄積式受信機２からの復旧信号Ｑによってリセットされた後、所定の期間Ｔ（例えば４０秒の期間）内に２番目の感知器信号Ｒ2をＰ型蓄積式受信機２に通知する必要がある。
【００２１】
しかしながら、図２のオン・オフ型感知器１では、Ｐ型受信機２から復旧信号Ｑが出力され、感知器１がリセットされたとき、感知器１は、再び、第１の監視部１１，性状判定部１２，第２の監視部１３，出力部１４の処理を順次に行なうので、出力部１４から２番目の感知器信号Ｒ2が出力されるまでに、上記所定の期間Ｔ（例えば４０秒の期間）を経過してしまうことがあるという問題があった。
【００２２】
本発明は、異常判断の機能（例えば火災／非火災の判断を行なう機能）を備えたオン・オフ型感知器であって、これをＰ型蓄積式受信機に接続する場合にも、異常（例えば火災）と判断したときに所定の期間内に２番目の感知器信号を確実にＰ型蓄積式受信機に通知することの可能な感知器および監視制御システムを提供することを目的としている。
【００２３】
【課題を解決するための手段】
上記目的を達成するために、請求項１記載の発明は、所定の監視条件で所定の物理量の監視を行なう第１の監視手段と、該第１の監視手段で得られた所定の物理量に基づき異常の性状を判定する性状判定手段と、該性状判定手段で得られた異常の性状に応じた監視条件で異常の監視を行なう第２の監視手段と、前記性状判定手段で得られた異常の性状を記憶する性状記憶手段と、該性状記憶手段に記憶されている異常の性状を読出す読出手段と、該読出手段で読出された異常の性状に応じた監視条件で異常の監視を行なう第３の監視手段と、異常信号を出力する出力手段とを備え、前記出力手段は、前記第２の監視手段または前記第３の監視手段から監視結果が送られたときに異常信号を出力し、前記読出手段は、前記出力手段から異常信号が出力されて受信機から所定の信号を受信したときに前記性状記憶手段に記憶されている異常の性状を読出すことを特徴としている。
【００２５】
また、請求項２記載の発明は、請求項１記載のオン・オフ型感知器において、前記第３の監視手段における監視処理に要する時間は、第２の監視手段における監視処理に要する時間よりも短かいことを特徴としている。
【００２６】
また、請求項３記載の発明は、請求項１または請求項２記載のオン・オフ型感知器において、前記性状記憶手段には、不揮発性メモリが用いられることを特徴としている。
【００２７】
また、請求項４記載の発明は、請求項１乃至請求項３のいずれか一項に記載のオン・オフ型感知器において、性状記憶手段に記憶されている性状の情報は、出力手段から異常信号が出力していない場合において受信機からの所定の信号が入力するときに、消去されるようになっていることを特徴としている。
【００２８】
また、請求項５記載の発明は、請求項４記載のオン・オフ型感知器において、性状記憶手段に記憶されている性状の情報は、読出手段によって読出された後に、消去可能となっていることを特徴としている。
【００３０】
また、請求項６記載の発明は、請求項１乃至請求項５のいずれか一項に記載のオン・オフ型感知器において、該オン・オフ型感知器は、第１の監視手段からの所定の物理量のレベルが所定レベルを越えたか否かを判断するレベル判断手段と、性状判定手段，第２の監視手段または第３の監視手段に処理を行なわせるのか、または、レベル判断手段に処理を行なわせるのかを切替える切替手段とをさらに有していることを特徴としている。
【００３１】
また、請求項７記載の発明は、請求項６記載のオン・オフ型感知器において、前記切替手段は、前記性状記憶手段に性状の情報が記憶されていないときには、レベル判断手段に処理を行なわせるように切替えることを特徴としている。
【００４２】
【発明の実施の形態】
以下、本発明の実施形態を図面に基づいて説明する。図３は本発明に係る感知器（オン・オフ型感知器）の構成例を示す図である。なお、図３において、図２と同様の箇所には同じ符号を付している。図３を参照すると、このオン・オフ型感知器１０は、所定の監視条件で所定の物理量の監視を行なう第１の監視部１１と、第１の監視部１１で得られた所定の物理量に基づき異常（例えば火災）の性状（例えば火災性状）を判定する性状判定部１２と、性状判定部１２で得られた性状に応じた監視条件で異常（例えば火災）の性状に応じた監視を行なう第２の監視部１３と、第２の監視部１３からの監視結果に基づく信号Ｒ1を受信機２に向けて出力する出力部１４と、性状判定部１２で得られた性状を記憶する性状記憶部１５と、受信機２から復旧信号Ｑが出力されたときに、性状記憶部１５に記憶されている性状を読出す読出部１６と、読出部１６で読出された性状に応じた監視条件で、この性状に応じた監視を行なう第３の監視部１７と、第３の監視部１７からの監視結果に基づく信号Ｒ2を受信機２に向けて出力する再出力部１８とを備えている。
【００４３】
ここで、第１の監視部１１としては、例えば、この感知器１０が例えば光散乱式煙感知器である場合、発光素子から２種の異なる波長λ1，λ2の光を出射させ、発光素子から出射される２種の異なる波長λ1，λ2の光の煙などによる散乱光を受光素子で受光するような構成のものにすることができる。なお、この場合、第１の監視部１１は、例えば、当初は１種の波長（例えばλ1）の光の煙などによる散乱光だけを受光素子で受光し、この光強度，すなわち所定の物理量（煙濃度）が所定レベル以上となったか否かを監視し、所定レベル以上となったときに、２種の異なる波長λ1，λ2の光の煙などによる散乱光を受光素子で受光するように、これを構成できる。
【００４４】
そして、性状判定部１２は、例えば、異なる２波長λ1，λ2の散乱光出力の比(２波長比)をとり、この２波長比が予め設定された値の範囲に入っているか否かを判定することで、異常の性状（上記例では、煙の性状）を判断するようになっている。
【００４５】
異常の性状の判定は、より具体的には、ある特定の粒子径範囲にある粒子の種類を２波長比から割り出すことによってなされ、これにより、異常の性状として、例えば、▲１▼火災煙、▲２▼タバコの煙、▲３▼湯気、▲４▼塵埃、▲５▼その他、のいずれであるかを判定することが可能となる。すなわち、例えば、２波長比から小さな粒径と判断された場合、これは、例えば▲１▼火災煙、であると判定され、また、２波長比から大きな粒径と判断された場合、これは、例えば▲３▼湯気、であると判定されるようになっている。
【００４６】
そして、第２の監視部１３は、より具体的には、▲１▼火災煙、▲２▼タバコの煙、▲３▼湯気、▲４▼塵埃、▲５▼その他、に応じた監視（例えば、性状▲１▼，▲２▼，▲３▼，▲４▼，▲５▼に応じた監視期間Ｔ1，Ｔ2，Ｔ3，Ｔ4，Ｔ5での監視）を行なうようになっている。
【００４７】
例えば、性状判定部１２で性状として、▲１▼火災煙が得られた場合には、第２の監視部１３は、ノイズでないことだけを確認して、すぐに（監視期間を短時間にして）、環境異常（例えば火災）の信号を監視結果として出力部１４に与えるようになっている。
【００４８】
また、例えば、性状判定部１２で性状として、▲３▼湯気が得られた場合には、第２の監視部１３は、所定の監視期間Ｔ3（例えば２０秒間）にわたって、例えば粒子濃度が所定レベルを越えている状態が持続しているか否かを判断し、所定の監視期間Ｔ3（例えば２０秒間）の間、例えば粒子濃度が所定レベルを越えている状態が持続している場合には、環境異常（例えば火災）の信号を監視結果として出力部１４に与え、また、所定の監視期間Ｔ3（例えば２０秒間）の間で、例えば粒子濃度が所定レベルを越えている状態が持続しない場合（例えば、１０秒間でレベルが低下してしまった場合）には、環境異常はないとして（例えば非火災として）出力部１４には監視結果を送らないようになっている。
【００４９】
このように、第２の監視部１３は、例えば、性状▲１▼，▲２▼，▲３▼，▲４▼，▲５▼に応じて監視期間（監視条件）Ｔ1，Ｔ2，Ｔ3，Ｔ4，Ｔ5を変え、ある性状が得られたとき、この性状に応じた監視期間にわたって粒子濃度が所定レベルを越えている状態が持続しているか否かに基づき、監視結果を出力部１４に送るか、監視結果を出力部１４には送らないようになっている。
【００５０】
そして、出力部１４は、第２の監視部１３から監視結果が送られた場合に信号(異常信号)Ｒ1を受信機２に向けて出力するようになっている。具体的に、出力部１４は、第２の監視部１３から監視結果が送られた場合にのみ、回線（Ｌ，Ｃ線路）間のインピーダンスを低下させて（オン状態にして）、受信機２に通知し、監視結果が送られない場合（非火災の場合）は、回線（Ｌ，Ｃ線路）間のインピーダンスを高インピーダンスの状態（オフ状態）に保持するようになっている。
【００５１】
そして、上記のようにオン・オフ型感知器１０の出力部１４から異常信号Ｒ1が出力され、この異常信号Ｒ1が受信機２に通知されると、受信機２は、所定の信号（復旧信号）Ｑをオン・オフ型感知器に与える。
【００５２】
このように、図３のオン・オフ型感知器１０も、図２のオン・オフ型感知器１と同様に、感知器単体で、例えば火災／非火災の判断を行なうので、受信機２における負担，誤報を低減することができる。
【００５３】
ところで、図３のオン・オフ型感知器１０では、性状判定部１２で得られた性状を性状記憶部１５に記憶するようになっている。例えば、性状判定部１２で得られた性状が▲１▼火災煙、である場合には、性状記憶部１５には、▲１▼火災煙が記憶され、また、性状判定部１２で得られた性状が▲３▼湯気、である場合には、性状記憶部１５には、▲３▼湯気が記憶されるようになっている。なお、ここで、性状記憶部１５は、例えば、不揮発性メモリにより構成されている。
【００５４】
そして、図３のオン・オフ型感知器１０では、オン・オフ型感知器１０の出力部１４から信号（異常信号）Ｒ1が出力されてＰ型受信機２から復旧信号Ｑを受信するとき、読出部１６は、性状記憶部１５に記憶されている性状を読出すようになっている。すなわち、図３のオン・オフ型感知器１０の出力部１４からの出力（信号Ｒ1）がオン状態であることをＰ型受信機２が受信し、Ｐ型受信機２からこの感知器１０に復旧信号Ｑが与えられると、読出部１６は、性状記憶部１５に記憶されている性状を読出すようになっている。
【００５５】
具体的に、性状記憶部１５に性状として、▲１▼火災煙、が記憶されている場合には、読出部１６は、Ｐ型受信機２から復旧信号Ｑを受けると、性状記憶部１５から▲１▼火災煙、を読出すことができ、また、性状記憶部１５に性状として、▲３▼湯気、が記憶されている場合には、読出部１６は、Ｐ型受信機２から復旧信号Ｑを受けると、性状記憶部１５から▲３▼湯気、を読出すことができる。
【００５６】
そして、第３の監視部１７は、読出部１６で読出された性状に応じた監視条件で、この性状に応じた監視を行なうようになっている。この第３の監視部１７も、基本的には、第２の監視部１３と同様の監視を行なうようになっている。すなわち、第３の監視部１７は、例えば、性状▲１▼，▲２▼，▲３▼，▲４▼，▲５▼に応じて監視期間（監視条件）Ｔ1’，Ｔ2’，Ｔ3’，Ｔ4’，Ｔ5’を変え、ある性状が得られたとき、この性状に応じた監視期間にわたって粒子濃度が所定レベルを越えている状態が持続しているか否かに基づき、監視結果を出力部１４に送るか、監視結果を出力部１４には送らないようになっている。
【００５７】
しかしながら、第３の監視部１７においては、監視期間（監視条件）をＴ1’，Ｔ2’，Ｔ3’，Ｔ4’，Ｔ5’とする点で、第２の監視部１３と監視期間（監視条件）を異にしている。ここで、第３の監視部１７における監視期間（監視条件）Ｔ1’，Ｔ2’，Ｔ3’，Ｔ4’，Ｔ5’は、第２の監視部１３における監視期間（監視条件）Ｔ1，Ｔ2，Ｔ3，Ｔ4，Ｔ5よりも短かく設定されている（Ｔ1’≦Ｔ1；Ｔ2’≦Ｔ2；Ｔ3’≦Ｔ3；Ｔ4’≦Ｔ4；Ｔ5’≦Ｔ5）。
【００５８】
より具体的に、第３の監視部１７は、▲１▼火災煙、▲２▼タバコの煙、▲３▼湯気、▲４▼塵埃、▲５▼その他、に応じた監視（例えば、性状▲１▼，▲２▼，▲３▼，▲４▼，▲５▼に応じた監視期間Ｔ1’，Ｔ2’，Ｔ3’，Ｔ4’，Ｔ5’での監視）を行なうようになっている。
【００５９】
この場合、例えば、読出部１６で読出された性状が、▲１▼火災煙である場合には、第３の監視部１７は、ノイズでないことだけを確認して、すぐに（監視期間を短時間にして）、▲１▼火災煙であることを再出力部１８に与えるようになっている。
【００６０】
また、例えば、読出部１６で読出された性状が、▲３▼湯気である場合には、第３の監視部１７は、所定の監視期間Ｔ3’（例えば１０秒間）にわたって、例えば粒子濃度が所定レベルを越えている状態が持続しているか否かを判断し、所定の監視期間Ｔ3’（例えば1０秒間）の間、例えば粒子濃度が所定レベルを越えている状態が持続している場合には、環境異常（例えば火災）の信号を監視結果として再出力部１８に与え、また、所定の監視期間Ｔ3’（例えば１０秒間）の間で、例えば粒子濃度が所定レベルを越えている状態が持続しない場合（例えば、５秒間でレベルが低下してしまった場合）には、環境異常はないとして（例えば非火災として）再出力部１８には監視結果を送らないようになっている。
【００６１】
そして、再出力部１８は、第３の監視部１７から監視結果が送られた場合に信号Ｒ2を受信機２に向けて出力するようになっている。具体的に、再出力部１８は、第３の監視部１７から監視結果が送られた場合にのみ、回線（Ｌ，Ｃ線路）間のインピーダンスを低下させて（オン状態にして）、受信機２に通知し、監視結果が送られない場合（非火災の場合）は、回線（Ｌ，Ｃ線路）間のインピーダンスを高インピーダンスの状態（オフ状態）に保持するようになっている。
【００６２】
このように、図３のオン・オフ型感知器１０では、受信機２から復旧信号Ｑが与えられたとき、図２のオン・オフ型感知器１のように再び第１の監視部１１に戻って第１の監視部１１，性状判定部１２，第２の監視部１３の処理を順次に行なうのではなく、性状記憶部１５に記憶されている直前の性状を直接読出して第３の監視部１７にすぐに与えるようになっている。換言すれば、図３のオン・オフ型感知器１０では、受信機２から復旧信号Ｑを受信したときに図２のオン・オフ型感知器１における第１の監視部１１，性状判定部１２の処理を省略することができ(受信機２の蓄積動作のために感知器１０に復旧信号Ｑによるリセットがかかっても、感知器１０は直前の性状を取得することができ、第１の監視部１１，性状判定部１２で再評価する必要がなくなるので）、図２のオン・オフ型感知器１における第１の監視部１１，性状判定部１２の処理に要する時間Ｔxを省くことができる（再作動時間が長くならずに済む）。例えば、図２のオン・オフ型感知器１における第１の監視部１１，性状判定部１２の処理に要する時間Ｔxが１０秒であるとするとき、図３のオン・オフ型感知器１０では、受信機２から復旧信号Ｑが入力してから再出力部１８より２番目の感知器信号Ｒ2が出力されるまでに要する時間をＴx（＝１０秒）だけ短縮することができる。
【００６３】
さらに、図３のオン・オフ型感知器１０では、第３の監視部１７における監視期間（監視条件）Ｔ1’，Ｔ2’，Ｔ3’，Ｔ4’，Ｔ5’は、第２の監視部１３における監視期間（監視条件）Ｔ1，Ｔ2，Ｔ3，Ｔ4，Ｔ5よりも短かく設定されている（Ｔ1’≦Ｔ1；Ｔ2’≦Ｔ2；Ｔ3’≦Ｔ3；Ｔ4’≦Ｔ4；Ｔ5’≦Ｔ5）ので、受信機２から復旧信号Ｑを受信したとき、図２のオン・オフ型感知器１の第２の監視部１３における監視処理よりも短かい時間で、第３の監視部１７における監視処理を行なうことができる。具体的に、第３の監視部１７は、第２の監視部１３よりも監視処理に要する時間をＴyだけ短縮することができる。
【００６４】
このように、図３のオン・オフ型感知器１０では、図２のオン・オフ型感知器１に比べて、受信機２から復旧信号Ｑが入力してから再出力部１８より２番目の感知器信号Ｒ2が出力されるまでに要する時間を（Ｔx＋Ｔy）だけ短縮することができる。
【００６５】
これにより、Ｐ型受信機２に、図１に示したような動作を行なうＰ型蓄積式受信機が用いられる場合にも、図３のオン・オフ型感知器１０においては、Ｐ型蓄積式受信機２からの復旧信号Ｑを受けた後、所定の期間Ｔ（例えば４０秒の期間）内に２番目の感知器信号Ｒ2をＰ型蓄積式受信機に確実に通知することができる。
【００６６】
すなわち、Ｐ型蓄積式受信機２と、Ｐ型蓄積式受信機２からの回線に接続され、Ｐ型蓄積式受信機２によって監視制御されるオン・オフ型感知器とを有している監視制御システムにおいて、オン・オフ型感知器として、異常判断の機能（例えば火災／非火災の判断を行なう機能）を備えた図３のオン・オフ型感知器１０が用いられ、これがＰ型蓄積式受信機２に接続される場合にも、異常（例えば火災）と判断したときには所定の期間Ｔ内に２番目の感知器信号Ｒ2を確実にＰ型蓄積式受信機２に通知することができる。
【００６７】
なお、図３のオン・オフ型感知器において、性状記憶部１５に記憶されている性状は、読出部１６によって読出された後、性状記憶部１５から消去されても良い。すなわち、読出部１６による読出し後、性状記憶部１５の内容を消去しても良い。
【００６８】
図４は図３のオン・オフ型感知器の変形例を示す図である。なお、図４において、図３と同様の箇所には、同じ符号を付している。
【００６９】
図４のオン・オフ型感知器４０では、図３のオン・オフ型感知器１０の構成において、さらに、第１の監視部１１で得られた所定の物理量（例えば煙濃度）のレベルが所定レベルを越えたか否かを判断するレベル判断部３３と、性状判定部１２，第２の監視部１３に処理を行なわせるのか、または、レベル判断部３３に処理を行なわせるのかを切替える切替部３４とが設けられ、出力部１４は、第２の監視部１３からの監視結果、または、レベル判断部３３からの判断結果に応じた信号を出力するようになっている。
【００７０】
ここで、レベル判断部３３は、第１の監視部１１からの例えば１種の波長（例えばλ1）の光の煙などによる散乱光出力（光強度）すなわち、煙濃度などの物理量が、所定のレベル以上となったか否かを判断し、その判断結果を出力するようになっている。
【００７１】
また、出力部１４は、切替部３４が性状判定部１２，第２の監視部１３に処理を行なわせるように切替えているときには、第２の監視部１３からの監視結果に応じた信号を受信機２に向けて出力するようになっている。具体的に、出力部１４は、第２の監視部１３から監視結果が送られた場合にのみ、回線（Ｌ，Ｃ線路）間のインピーダンスを低下させて（オン状態にして）、受信機２に通知し、監視結果が送られない場合（非火災の場合）は、回線（Ｌ，Ｃ線路）間のインピーダンスを高インピーダンスの状態（オフ状態）に保持するようになっている。
【００７２】
一方、出力部１４は、切替部３４がレベル判断部３３に処理を行なわせるように切替えているときには、レベル判断部３３からの判断結果に応じた信号を受信機２に向けて出力するようになっている。具体的に、出力部１４は、レベル判断部３３からの判断結果が所定のレベル以上である場合には、回線（Ｌ，Ｃ線路）間のインピーダンスを低下させて（オン状態にして）、受信機２に通知し、また、レベル判断部３３からの判断結果が所定のレベル以下である場合には、回線（Ｌ，Ｃ線路）間のインピーダンスを高インピーダンスの状態（オフ状態）に保持するようになっている。
【００７３】
このような構成では、切替部３４は、通常の作動モード時には、性状判定部１２，第２の監視部１３に処理を行なわせるように切替える一方、試験時には、性状判定部１２，第２の監視部１３ではなく、レベル判断部３３に処理を行なわせるように切替えることが可能となっている。
【００７４】
すなわち、性状判定部１２，第２の監視部１３は、例えば、異常判断アルゴリズム（例えば火災判断アルゴリズム）を用いて火災などの異常か否かを判断するので、この判断処理には、所定の時間Ｔaを要する一方、レベル判断部３３は、第１の監視部１１で検出された物理量（例えば煙濃度）のレベルが所定レベルを越えたか否かを判断するだけなので、この判断処理に要する時間Ｔbは、性状判定部１２，第２の監視部１３の判断処理に要する時間Ｔaに比べて非常に短かい。
【００７５】
このことを利用し、切替部３４は、通常の作動モード時には、性状判定部１２，第２の監視部１３に処理を行なわせるように切替える一方、試験モード時には、性状判定部１２，第２の監視部１３ではなく、レベル判断部３３に処理を行なわせるように切替えることが可能に構成でき、この場合、切替部３４は、試験モード時には、性状判定部１２，第２の監視部１３ではなく、レベル判断部３３に処理を行なわせるように切替えるので、試験時（例えば、加煙試験時）の試験時間を短縮することが可能となる。なお、ここで、試験とは、第１の監視部１１，出力部１４の試験，すなわち、感知器のハードウェア部分の試験を指している。
【００７６】
具体的に、切替部３４は、手動によって、性状判定部１２，第２の監視部１３に処理を行なわせるのか、または、レベル判断部３３に処理を行なわせるのかを切替えることが可能に構成できる。あるいは、切替部３４は、所定の条件が満たされたときに、自動的に、性状判定部１２，第２の監視部１３に処理を行なわせるのか、または、レベル判断部３３に処理を行なわせるのかを切替えることが可能に構成できる。
【００７７】
図４の感知器において、切替部３４が、性状判定部１２，第２の監視部１３に処理を行なわせるのか、または、レベル判断部３３に処理を行なわせるのかを自動的に切替え可能に構成される例として、切替部３４は、性状記憶部１５の状態を監視し、性状記憶部１５に性状の情報が記憶されていないときには、レベル判断部３３に処理を行なわせるように切替えることができる。
【００７８】
性状記憶部１５に性状の情報が記憶されていない状態となるのは、感知器４０の電源投入時、あるいは、受信機２からの所定の信号の入力時（例えば、復旧信号Ｑが２回入力した時）である。
【００７９】
具体的に、受信機２からの復旧信号Ｑによって性状記憶部１５に性状の情報が記憶されていない状態にするには、例えば保守点検者は、試験を行なう前に、受信機２から一度復旧をかける（１回目の復旧信号Ｑが送られる）。これにより、感知器４０の性状記憶部１５の記憶情報が消去される。しかる後、受信機２から再度復旧をかけると（２回目の復旧信号Ｑが送られると）、性状記憶部１５は、性状の情報（例えば、火災／非火災の情報）が書き込まれていない状態になり、感知器４０は、自動的に試験モードに移行する。すなわち、切替部３４は、性状記憶部１５に性状の情報（例えば、火災／非火災の情報）が書き込まれていない状態になると、自動的に、レベル判断部３３に処理を行なわせるように切替える。
【００８０】
但し、前述のように、受信機２から所定の信号（１回目の復旧信号）Ｑが入力して性状記憶部１５に記憶されている性状が読出部１６によって読出された後、性状記憶部１５の内容が消去される場合（性状記憶部１５に性状の情報が記憶されていない状態となる場合）であっても、第３の監視部１７により監視が行なわれているときに受信機２から所定の信号（復旧信号）が入力したときには、切替部３４は、感知器の状態を試験モードに移行させない。
【００８１】
このように、試験（例えば加煙試験）を行なう時には、レベル判断部３３を使用し、感知器の異常判断アルゴリズム（火災判断アルゴリズム）を使用しないようにすることで、試験時（例えば加煙試験時）に感知器がすぐに応答するので、試験時間を短縮することができる。そして、このような試験が終了すると（あるいは、所定の試験期間が設定される場合には、所定の試験期間の経過後に）、自動的に、異常判断アルゴリズム（火災判断アルゴリズム）が動作を開始する。
【００８２】
一般に、感知器（例えば煙感知器）を試験する場合、感知器にテストガス（例えばスプレー状のテストガス）を吹き付けて行なうが、この仕方で図３の感知器１０を試験する場合、テストガスの粒径と湯気の粒径とがほぼ同程度であることから、図３の感知器１０にテストガスを吹き付けると、性状判定部１２では▲３▼湯気と判定し、第２の監視部１３では、▲３▼湯気に応じた所定の監視期間Ｔ3（例えば２０秒間）にわたって監視を続けてしまい、試験を開始後、試験が終了するまでに（テストガスが吹き付けられてから結果が出力するまでに）、相当の時間を要してしまう。
【００８３】
これに対し、図４の構成では、上述したように、試験時には、切替部３４は、レベル判断部３３に処理を行なわせるよう切替え、レベル判断部３３において処理がなされるので、感知器に所定濃度以上のテストガスを吹き付けると、第１の監視部１１が正常である場合（故障でない場合）には、レベル判断部３３からはすぐに物理量が所定レベル以上である旨が出力され、例えば火災信号が即座に出力されて試験結果を迅速に得ることができる。試験結果が得られた後は、切替部３４は、性状判定部１２，第２の監視部１３に処理を行なわせるように切替え、性状判定部１２，第２の監視部１３において処理がなされる。すなわち、性状判定部１２，第２の監視部１３では、異常判断アルゴリズム（火災判断アルゴリズム）を用いて火災などの異常か否かの判断を行なう。
【００８４】
なお、図３，図４の構成例では、出力部１４と再出力部１８とが別々に設けられているが、出力部１４と再出力部１８とを１つにまとめて、出力部とすることもできる。
【００８５】
図５は本発明に係る感知器（オン・オフ型感知器）の他の構成例を示す図である。なお、図５において、図２と同様の箇所には同じ符号を付している。図５を参照すると、このオン・オフ型感知器５０は、所定の監視条件で所定の物理量の監視を行なう第１の監視部１１と、第１の監視部１１で得られた所定の物理量に基づき異常（例えば火災）の性状（例えば火災性状）を判定する性状判定部１２と、性状判定部１２で得られた性状に応じた監視条件で異常（例えば火災）の性状に応じた監視を行なう第２の監視部１３と、第２の監視部１３からの監視結果に基づく信号Ｒ、および／または、性状判定部１２で得られた異常の性状に関する情報ＡＩを回線３を介して受信機２に向けて出力する出力部６４とを有している。
【００８６】
ここで、性状判定部１２における異常の性状の判定は、前述したように、例えば、ある特定の粒子径範囲にある粒子の種類を２波長比から割り出すことによってなされ、これにより、異常の性状として、例えば、▲１▼火災煙、▲２▼タバコの煙、▲３▼湯気、▲４▼塵埃、▲５▼その他、のいずれであるかを判定することが可能となる。すなわち、例えば、２波長比から小さな粒径と判断された場合、これは、例えば▲１▼火災煙、であると判定され、また、２波長比から大きな粒径と判断された場合、これは、例えば▲３▼湯気、であると判定されるようになっている。
【００８７】
また、出力部６４において、性状判定部１２からの異常の性状に関する情報ＡＩを回線３に送出するタイミングとしては、第１の形態として、性状判定部１２において異常の性状を判定した時点であっても良い。この場合には、異常の性状に関する情報ＡＩだけを回線３に送出することができる。
【００８８】
あるいは、異常の性状に関する情報を回線に送出するタイミングとしては、第２の形態として、第２の監視部１３から環境異常（例えば火災）の信号が監視結果として出力部６４に与えられて出力部６４からオン状態の信号が回線３に送出されるときになされても良い。この場合には、異常の性状に関する情報をオン状態の信号に重畳させて出力部６４から送出することができる。
【００８９】
また、上記第１，第２のいずれの形態の場合において、出力部６４は、回線３の電圧を変化させることで異常の性状に関する情報を回線３に送出することができる。具体的に、出力部６４は、回線３の電圧（Ｌ，Ｃ線路間の電圧）を、異常の性状に関する情報に応じてそれぞれ所定値に低下させて、異常の性状に関する情報を送出することができる。この場合、受信機２は、回線３の電圧（Ｌ，Ｃ線路間の電圧）の変化によって異常の性状を取得し、これを表示することができる。
【００９０】
あるいは、上記第１，第２のいずれの形態の場合において、出力部６４は、異常の性状に関する情報を電圧パルスにより回線３に送出することもできる。この場合、受信機２は、電圧パルスによって異常の性状を取得し、これを表示することができる。
【００９１】
図６は異常の性状に関する情報だけを電圧パルスにより回線３（Ｌ，Ｃ線路）に送出する場合の一例を示す図である。図６の例では、通常は回線３の電圧（Ｌ，Ｃ線路間の電圧）は２４Ｖに保持されており、性状判定部１２から異常の性状に関する情報が送られると、出力部６４は、回線３の電圧（Ｌ，Ｃ線路間の電圧）を短期間Ｔ0低下させ(例えば約５Ｖにし)、この期間Ｔ0内において異常の性状に関する情報を約５Ｖ〜０Ｖの間の電圧パルスにして回線３（Ｌ，Ｃ線路）に送出するようになっている。なお、回線３の電圧（Ｌ，Ｃ線路間の電圧）を低下させる上記期間Ｔ0は、受信機２の異常信号（例えば火災信号）検出遅延時間よりも短かく設定され、従って、回線３の電圧（Ｌ，Ｃ線路間の電圧）を期間Ｔ0の間、低下させても、受信機２がこれによって誤作動（異常（例えば火災）が発生したとして警報を発するなどの誤作動）することはない。
【００９２】
また、図７は異常の性状に関する情報をオン状態の信号に重畳させて電圧パルスにより回線３（Ｌ，Ｃ線路）に送出する場合の一例を示す図である。図７の例では、通常は回線３の電圧（Ｌ，Ｃ線路間の電圧）は２４Ｖに保持されており、第２の監視部１３から環境異常（例えば火災）の信号が監視結果として送られると、出力部６４は、回線３の電圧（Ｌ，Ｃ線路間の電圧）を低下させることで（例えば約５Ｖにすることで）オン状態の信号を出力するとともに、性状判定部１２で判定された異常の性状に関する情報を約５Ｖ〜０Ｖの間の電圧パルスで回線３（Ｌ，Ｃ線路）に送出するようになっている。
【００９３】
なお、図７の例のように、オン状態の信号を出力するとともに、性状判定部１２で判定された異常の性状に関する情報を送出する場合には、０Ｖ〜約５Ｖの範囲で送出する必要があるが、図６の例のように、異常の性状に関する情報のみを送出する場合には、電圧値の範囲は特に限定されない。
【００９４】
また、異常の性状に関する情報を電圧パルスで送出する場合、電圧パルスの形態としては、パルスをコード化する方法，パルス幅を変える方法、パルス数を変える方法などの、各種方法が使用可能である。
【００９５】
例えば、パルス数を変える方法によって異常の性状に関する情報を表現する場合、異常の性状が▲１▼火災煙であるときには、電圧パルスを１個のパルスにし、また、異常の性状が▲２▼タバコの煙であるときには、電圧パルスを２個のパルスにし、また、異常の性状が▲３▼湯気であるときには、電圧パルスを３個のパルスにし、また、異常の性状が▲４▼塵埃であるときには、電圧パルスを４個のパルスにし、また、異常の性状が▲５▼その他であるときには、電圧パルスを５個のパルスにして送出することができる。
【００９６】
このように、図５の感知器の出力部６４から、回線３の電圧を変化させることで、または電圧パルスにより、異常の性状に関する情報が回線３に送出されると、受信機２は、回線３の電圧（Ｌ，Ｃ線路間の電圧）の変化によって、または、電圧パルスによって、異常の性状を取得し、これを表示することができる。
【００９７】
なお、図５の例では、性状判定部１２で判定された異常の性状に関する情報を直接、出力部６４に与えたが、性状判定部１２で判定された異常の性状に関する情報を一旦記憶させた後に出力部６４に与えることもできる。図８は図５のオン・オフ型感知器の変形例を示す図であり、図８の例では、性状判定部１２で得られた性状を記憶する性状記憶部１５をさらに有し、出力部６４は、性状記憶部１５に記憶されている性状に関する情報を回線３に送出するようになっている。
【００９８】
また、図５を図９のように変形することもできる。すなわち、図９の例では、第１の監視部１１からの所定の物理量に基づき異常（例えば火災）か否かの判断を行なう異常判断部７３（具体的には、例えば、所定の物理量のレベルが所定レベルを越えたか否かを判断するレベル判断手段）が設けられており、出力部６４は、異常判断部７３において異常の判断がなされたときに、オン状態の信号を回線３に送出するように構成され、性状判定部１２は、単に、性状判定部１２で判定された性状に関する情報を出力部６４から回線３に送出するためにだけ設けられている。
【００９９】
図９の構成においても、図５の構成と同様に、出力部６４において、性状判定部１２からの異常の性状に関する情報ＡＩを回線３に送出するタイミングとしては、第１の形態として、性状判定部１２において異常の性状を判定した時点であっても良い。この場合には、異常の性状に関する情報ＡＩだけを回線３に送出することができる。
【０１００】
あるいは、異常の性状に関する情報を回線に送出するタイミングとしては、第２の形態として、異常判断部７３から異常の判断が監視結果として出力部６４に与えられて出力部６４からオン状態の信号が回線３に送出されるときになされても良い。この場合には、異常の性状に関する情報をオン状態の信号に重畳させて出力部６４から送出することができる。
【０１０１】
また、図９の構成においても、出力部６４は、回線３の電圧を変化させることで異常の性状に関する情報を回線３に送出することができる。具体的に、出力部６４は、回線３の電圧（Ｌ，Ｃ線路間の電圧）を、異常の性状に関する情報に応じてそれぞれ所定値に低下させて、異常の性状に関する情報を送出することができる。この場合、受信機２は、回線３の電圧（Ｌ，Ｃ線路間の電圧）の変化によって異常の性状を取得し、これを表示することができる。
【０１０２】
あるいは、出力部６４は、異常の性状に関する情報を電圧パルスにより回線３に送出することもできる。この場合、受信機２は、電圧パルスによって異常の性状を取得し、これを表示することができる。
【０１０３】
また、図９の構成においても、図５において説明したのと全く同様に、例えば図６あるいは図７の仕方で異常の性状に関する情報を回線３に送出することができる。
【０１０４】
なお、図９の例では、性状判定部１２で判定された異常の性状に関する情報を直接、出力部６４に与えたが、性状判定部１２で判定された異常の性状に関する情報を一旦記憶させた後に出力部６４に与えることもできる。図１０は図９のオン・オフ型感知器の変形例を示す図であり、図１０の例では、性状判定部１２で得られた性状を記憶する性状記憶部１５をさらに有し、出力部６４は、性状記憶部１５に記憶されている性状に関する情報を回線３に送出するようになっている。
【０１０５】
このように、図５，図８，図９または図１０の感知器５０は、基本的には、所定の監視条件で所定の物理量の監視を行なう第１の監視部１１と、第１の監視部１１で得られた所定の物理量に基づき異常の性状を判定する性状判定部１２（および／または、判定された性状を記憶する性状記憶部１５）と、出力部６４とを有し、出力部６４は、性状判定部１２で判定された（または性状記憶部１５に記憶された）異常の性状に関する情報を回線３に送出可能に構成されており、この構成では、回線３に送出された異常の性状に関する情報を受信機２で受信し、これを例えば表示して、受信機２においてオン・オフ型感知器５０が設置されている環境の性状を容易に把握することができる（例えば、環境に変化が生じたことを迅速に把握することができる）。
【０１０６】
特に、オン状態の信号と同時に性状に関する情報を回線３に送出する場合には、これを受信した受信機２では、オン状態の信号がどのような性状の下で発せられたかを容易に識別することができ、たとえば、火災か非火災かの正確な判別が可能となる。
【０１０７】
また、図５，図８，図９，図１０に示した各システム構成例では、性状に関する情報は、受信機２により受信され、表示されるとしたが、受信機２とともに、あるいは、受信機２にかわって、中継器，試験器，表示器が設けられているシステムの場合、受信機，中継器，試験器，表示器のうちの少なくとも１つが、オン・オフ型感知器５０から回線３を介して送出された異常の性状に関する情報を表示可能であるように構成することができる。
【０１０８】
すなわち、本発明は、受信機，中継器，試験器，表示器のうちの少なくとも１つに、オン・オフ型感知器５０からの情報を送出可能に構成されている監視制御システムであって、オン・オフ型感知器５０は、所定の監視条件で所定の物理量の監視を行なう第１の監視部１１と、第１の監視部１１で得られた所定の物理量に基づき異常の性状を判定する性状判定部１２(および／または性状記憶部１５)と、出力部６４とを有し、出力部６４は、性状判定部１２で判定された（または性状記憶部１５に記憶された）異常の性状に関する情報を回線３に送出可能に構成されており、受信機，中継器，試験器，表示器のうちの少なくとも１つは、オン・オフ型感知器５０の出力部６４から回線３を介して送出された異常の性状に関する情報を表示可能に構成されている監視制御システムを提供できる。
【０１０９】
また、図１１は図３，図４，図５，図８，図９または図１０の感知器の具体例を示す図である。図１１の例では、この感知器は、煙濃度などの物理量を検出して電気信号(アナログ信号)に変換する物理量検出部４１と、該物理量検出部４１から出力されるアナログ信号を所定の周期でサンプルしてデジタル信号に変換するＡ／Ｄ変換部４２と、この感知器のアドレスが設定されるアドレス部４３と、異常(例えば火災)判断などの感知器全体の制御を行なうＣＰＵ４４と、ＣＰＵ４４の制御プログラムなどが格納されるＲＯＭ４５と、各種のワークエリアなどとして使用されるＲＡＭ４６と、不揮発性メモリ４７と、物理量検出部４１で検出されＡ／Ｄ変換部４２でデジタル信号に変換された物理量(例えば煙濃度)の検出結果(Ａ／Ｄ変換部４２からの出力レベル)に基づいてＣＰＵ４４が火災などの異常と判断したときに、作動状態(オン状態)を表わす信号を回線(例えばＬ，Ｃ線路)３に出力する状態出力部４８と、例えば受信機２との間で回線３を介した伝送を行なう伝送部(通信インタフェース部)４９とを備えている。
【０１１０】
換言すれば、図１１の例の感知器は、所謂センサアドレス用感知器(その検出出力信号からすれば、オン・オフ型感知器に属する)として構成されている。そして、図１１の構成において、物理量検出部４１が図３，図４，図５，図８，図９または図１０の第１の監視部１１の機能を備えている場合、ＣＰＵ４４によって図３，図４，図５，図８，図９または図１０の性状判定部１２，第２の監視部１３，読出部１６，第３の監視部１７，レベル判断部３３，切替部３４，異常判断部７３の機能を実現することができる。また、状態出力部４８，伝送部４９によって図３，図４，図５，図８，図９または図１０の出力部１４，再出力部１８，出力部６４の機能を実現することができる。
【０１１１】
また、図１１の不揮発性メモリ４７などには、性状判定部１２で得られた性状などを格納することができる。
【０１１２】
なお、このような感知器は、例えば、監視制御システム(例えば防災システム)の一要素として、図１１に示すように監視制御システム(例えば防災システム)に組込んで用いることができる。図１１を参照すると、この監視制御システム(例えば防災システム)は、受信機(例えば、アドレッサブルなＰ型受信機)２と、受信機２によって監視制御される上記構成の感知器（１０または４０または５０）とを有している。
【０１１３】
ここで、感知器（１０または４０または５０）は、受信機２から延びる回線(例えば、Ｌ，Ｃ線路)３に接続されており、図１１の例では、このシステムは、監視レベルを例えば回線３のＬ，Ｃ間の電位が２４Ｖのところに設定し、また、感知器の作動レベル(オンレベル)を例えばＬ，Ｃ間の電位が５Ｖのところに設定し、また、短絡レベルを例えばＬ，Ｃ間の電位が０Ｖのところに設定することができる。
【０１１４】
このようなシステム構成に対応させて、図１１の感知器の状態出力部４８は、この感知器の作動状態(オン状態)を表わす信号として、回線３のＬ，Ｃ間の電位をオンレベル５Ｖにするようになっている。
【０１１５】
また、受信機２は、回線に複数の感知器が接続されている場合、感知器のうち少なくとも１つの感知器が作動して(オンになって)、回線３のＬ，Ｃ間の電位がオンレベル５Ｖになったことを検知すると、アドレス検索パルスを感知器の短絡レベル(０Ｖ)とオンレベル(５Ｖ)の電位を利用して作成し、回線３を介して感知器に送出するようになっている。
【０１１６】
図１１の感知器の伝送部４９は、受信機２からのこのようなアドレス検索パルスを回線３，すなわちＬ，Ｃ線路を介して受信するように構成されており、伝送部４９でアドレス検索パルスを受信するとき、この感知器のＣＰＵ４４は、これまでに受信したアドレス検索パルスの個数を計数(カウント)し、この計数値(カウント値)がこの感知器のアドレス部４３に設定されているアドレスと一致するか否かを判断し、一致したときに、自己の感知器の状態(オン状態あるいはオフ状態)を伝送部４９に与え、これにより、伝送部４９は、例えば、自己の感知器の状態がオン状態のときにのみ、その旨の信号を回線３，すなわちＬ，Ｃ線路を介して受信機２に通知するようになっている。具体的に、伝送部４９は、アドレスが一致したときに、自己の感知器の状態がオン状態である旨の信号として、例えば回線３のＬ，Ｃ間の電位を所定期間、０Ｖに保持して(所定期間、短絡(ショート)状態に保持して)受信機２に伝送するようになっている。これにより、受信機２は、回線３のＬ，Ｃ間の電位が所定期間、０Ｖに保持された状態になったかを監視し、回線３のＬ，Ｃ間の電位が所定期間、０Ｖに保持された状態になったときに、このときまでに送出したアドレス検索パルスの個数に相当するアドレスをもつ感知器が作動状態(オン状態)にあると特定することができる。
【０１１７】
図１１の例では、感知器がセンサアドレス用感知器として構成されているとして説明したが、感知器としては、図３，図４，図５，図８，図９または図１０の構成を備えたものであれば良く、任意のオン・オフ型感知器に適用することができる。従って、図１１の構成例において、アドレス部４３などは、必ずしも設けられていなくとも良い。
【０１１８】
また、感知器１０または４０または５０における性状判定部１２，第２の監視部１３，読出部１６，第３の監視部１７，レベル判断部３３，切替部３４，異常判断部７３の機能は、例えばソフトウェアパッケージ(具体的には、ＣＤ−ＲＯＭ等の情報記録媒体)の形で提供することができる。すなわち、本発明の性状判定部１２，第２の監視部１３，読出部１６，第３の監視部１７，さらには、レベル判断部３３，切替部３４，異常判断部７３の機能を実現するためのプログラム(すなわち、例えば、図１１の感知器の場合、ＣＰＵ４４などで用いられるプログラム)は、可搬性の情報記録媒体に記録された状態で提供可能である。
【０１１９】
この場合、感知器には、情報記録媒体を着脱自在に装着するための機構が設けられているのが良い。また、プログラムなどが記録される情報記録媒体としては、ＣＤ−ＲＯＭに限られるものではなく、ＲＯＭ，ＲＡＭ，フレキシブルディスク，メモリカード等が用いられても良い。情報記録媒体に記録されたプログラムは、この情報記録媒体が感知器に装着されるとき、感知器の記憶装置(例えば図１１の構成の感知器では、ＲＡＭ４６)にインストールされることにより、このプログラムを実行して、本発明の性状判定部１２，第２の監視部１３，読出部１６，第３の監視部１７，レベル判断部３３，切替部３４，異常判断部７３の機能を実現することができる。
【０１２０】
また、図１１の例では、性状に関する情報は、受信機２により受信され、表示されるとしたが、受信機２とともに、あるいは、受信機２にかわって、中継器，試験器，表示器が設けられているシステムの場合、受信機，中継器，試験器，表示器のうちの少なくとも１つが、オン・オフ型感知器５０から回線３を介して送出された異常の性状に関する情報を受信し、表示可能であるように構成することもできる。
【０１２１】
【発明の効果】
以上に説明したように、請求項１乃至請求項７記載の発明によれば、オン・オフ型感知器が、所定の監視条件で所定の物理量の監視を行なう第１の監視手段と、該第１の監視手段で得られた所定の物理量に基づき異常の性状を判定する性状判定手段と、該性状判定手段で得られた異常の性状に応じた監視条件で異常の監視を行なう第２の監視手段と、前記性状判定手段で得られた異常の性状を記憶する性状記憶手段と、該性状記憶手段に記憶されている異常の性状を読出す読出手段と、該読出手段で読出された異常の性状に応じた監視条件で異常の監視を行なう第３の監視手段と、異常信号を出力する出力手段とを備え、前記出力手段は、前記第２の監視手段または前記第３の監視手段から監視結果が送られたときに異常信号を出力し、前記読出手段は、前記出力手段から異常信号が出力されて受信機から所定の信号を受信したときに前記性状記憶手段に記憶されている異常の性状を読出すので、異常判断の機能（例えば火災／非火災の判断を行なう機能）を備えたオン・オフ型感知器であって、これをＰ型蓄積式受信機に接続する場合にも、異常（例えば火災）と判断したときに所定の期間内に２番目の感知器信号を確実にＰ型蓄積式受信機に通知することができる。
【０１２２】
特に、請求項２記載の発明によれば、請求項１記載のオン・オフ型感知器において、前記第３の監視手段における監視処理に要する時間は、第２の監視手段における監視処理に要する時間よりも短かいので、異常（例えば火災）と判断したときに所定の期間内に２番目の感知器信号をより確実にＰ型蓄積式受信機に通知することができる。
【０１２４】
また、請求項６，請求項７記載の発明によれば、請求項１乃至請求項５のいずれか一項に記載のオン・オフ型感知器において、該オン・オフ型感知器は、第１の監視手段からの所定の物理量のレベルが所定レベルを越えたか否かを判断するレベル判断手段と、性状判定手段，第２の監視手段または第３の監視手段に処理を行なわせるのか、または、レベル判断手段に処理を行なわせるのかを切替える切替手段とをさらに有しており、試験時には、切替手段によってレベル判断手段に処理を行なわせるように切替えることによって、試験を迅速に行なうことが可能となる。
【図面の簡単な説明】
【図１】Ｐ型蓄積式受信機の動作（特に蓄積機能）を説明するための図である。
【図２】異常判断アルゴリズムを用いたオン・オフ型感知器の構成例を示す図である。
【図３】本発明に係る感知器（オン・オフ型感知器）の構成例を示す図である。
【図４】図３のオン・オフ型感知器の変形例を示す図である。
【図５】本発明に係る感知器（オン・オフ型感知器）の他の構成例を示す図である。
【図６】異常の性状に関する情報だけを電圧パルスにより回線（Ｌ，Ｃ線路）に送出する場合の一例を示す図である。
【図７】異常の性状に関する情報をオン状態の信号に重畳させて電圧パルスにより回線（Ｌ，Ｃ線路）に送出する場合の一例を示す図である。
【図８】図５のオン・オフ型感知器の変形例を示す図である。
【図９】図５のオン・オフ型感知器の変形例を示す図である。
【図１０】図９のオン・オフ型感知器の変形例を示す図である。
【図１１】図３，図４，図５，図８，図９または図１０の感知器の具体例を示す図である。
【符号の説明】
２                  受信機
１０，４０，５０    感知器
３                  受信機から延びる回線
１１                第１の監視部
１２                性状判定部
１３                第２の監視部
１４，６４          出力部
１５                性状記憶部
１６                読出部
１７                第３の監視部
１８                再出力部
３３                レベル判断部
３４                切替部
４１                物理量検出部
４２                Ａ／Ｄ変換部
４３                アドレス部
４４                ＣＰＵ
４５                ＲＯＭ
４６                ＲＡＭ
４７                不揮発性メモリ
４８                状態出力部
４９                伝送部
７３                異常判断部
【図１】
0003847050.tif 000002
【図２】
0003847050.tif 000003
【図３】
0003847050.tif 000004
【図４】
0003847050.tif 000005
【図５】
0003847050.tif 000006
【図６】
0003847050.tif 000007
【図７】
0003847050.tif 000008
【図８】
0003847050.tif 000009
【図９】
0003847050.tif 000010
【図１０】
0003847050.tif 000011
【図１１】
0003847050.tif 000012